(57)【特許請求の範囲】
【請求項１】
ケース内に、
テープ基材の片面に粘着剤を有する転写テープを巻装する回転可能な供給リールと、
上記供給リールから引き出された転写テープのテープ基材を巻き取る回転可能な巻取リールと、
上記供給リールから引き出された転写テープの粘着剤を被転写面に転写する転写ヘッドと、
上記供給リール及び巻取リールにそれぞれ装着される互いに連動するギアからなる巻取機構と、
上記転写ヘッドの先端側に出没可能な押し板部と、上記ケースに突設された係止突起に当接係合して上記押し板部を上記転写ヘッドの先端側に押圧するばね部及び該ばね部の付勢力に抗して上記ケース後方側に移動する際にのみ上記供給リールに装着される供給ギアに噛合するラチェット爪を一体に有する作動プレートと、
を配設してなり、
上記ばね部の付勢力に抗して上記押し板部を後方側へ移動し、上記転写ヘッドを被転写面に押圧した後、転写ヘッドを被転写面から後退して、上記粘着剤の被転写面へのスポット転写、又は、上記転写ヘッドを被転写面に押圧した状態で、被転写面上を移動させて、上記粘着剤の被転写面へのライン状の転写のいずれかを選択的に行えるように形成してなる、
ことを特徴とする粘着転写具。
【請求項２】
上記押し板部は、上記作動プレートに枢着され、使用時には上記作動プレートの先端側に展開され、不使用時には上記作動プレートの側面に折り畳み可能に形成される、ことを特徴とする請求項１記載の粘着転写具。
【請求項３】
上記ばね部は、上記作動プレートの両側辺からそれぞれ後方側に屈曲し、各端部がケースに突設された係止突起に当接係合する第１及び第２のばね片からなる、ことを特徴とする１又は２記載の粘着転写具。
【請求項４】
上記転写ヘッドの転写面に弾性を有する板部材を配設すると共に、該板部材の表面に転写テープの移動を円滑にする滑りカバー部材を被着してなる、ことを特徴とする請求項１ないし３のいずれかに記載の粘着転写具。
【請求項５】
上記作動プレートに一体に形成され、作動プレートがばね部の付勢力に抗して後方へ移動し転写ヘッドの転写面が被転写面に押圧された際に、ケースに突設された突起に間欠的に係合し、確認のための音を発する弾性変形可能な確認音発生爪を更に具備してなる、ことを特徴とする請求項１ないし４のいずれかに記載の粘着転写具。
【発明の詳細な説明】
【技術分野】
【０００１】
この発明は粘着転写具に関するもので、更に詳細には、テープ基材に担持された粘着剤をスポット状あるいは所定の長さのライン状に転写可能にした粘着転写具に関するものである。
【背景技術】
【０００２】
従来、例えばポスターや写真等の貼付や封筒の糊付けあるいは誤字の修正等にテープ基材の片面に粘着剤や修正塗料剤（以下に粘着剤等という）を担持した転写テープが使用されている。この転写テープはロール状にリールに巻装され、転写具のケースに配設されて使用されている。
【０００３】
上記転写テープから粘着剤等を被転写面（修正面）に転写（修正）する転写具としては、例えば、筒体や軸筒等のケース内に、テープ基材の片面に粘着剤等を有する転写テープを巻装する回転可能な供給リールと、この供給リールから引き出された転写テープのテープ基材を巻き取る回転可能な巻取リールと、スプリング又はスプリング及びヒゲバネ等の弾性手段の弾性をもってケース内に保持されるスライダと、スライダに一体に設けられ、転写テープの巻き上げ方向のみ巻取リールに設けられたギアに噛合する巻き上げ爪を具備するものが知られている（例えば、特許文献１参照）。
【０００４】
このように構成される転写具によれば、スプリング等の弾性力に抗してスライダに設けられたノック部を押圧するか、又は、軸筒から突出するスライダを押圧することで、スライダに一体に設けられた押棒又は軸筒内に固持された押棒により転写テープの裏面を押圧して誤字等を修正することができる。
【０００５】
また、別の転写具として、ケース内に、供給リール及び巻取リールを回転自在に支持すると共に、両リールに設けたギアを互いに連動可能に配設してなり、転写時には、転写ヘッドの転写面を被転写面に当接し、押圧することで、粘着剤層をテープ基材より剥離して転写するものが知られている（例えば、特許文献２参照）。
【０００６】
この転写具において、転写後に、巻取リールのギアに噛合する撓み可能な押棒を設けた巻上げノブがスプリングを撓ませて押すことにより、押棒の一端部に設けた爪部が巻取リールのギアに噛合して巻取リールを回転させ、転写テープを巻き取ることができる。
【０００７】
また、特許文献２記載の転写具において、連続転写の場合は、転写ヘッドを被転写面に当接させた状態で被転写面に対して平行に移動させることにより、粘着剤層をライン状に転写することができる。
【特許文献１】特開平６−５５８９５号公報（特許請求の範囲、図１，図２）
【特許文献２】特開平１１−２２７３８６号公報（段落００３１，００３４〜００３８、図５，図６）
【発明の開示】
【発明が解決しようとする課題】
【０００８】
しかしながら、特許文献１に記載のものは、転写テープの押圧及び転写テープの送り出しを促すスライダに押圧力を付与する弾性手段であるスプリング又はスプリング及びヒゲバネがスライダと別体に形成されるため、構成部材が多くなると共に、ケース内への組み付けが面倒であるという問題がある。また、供給リールと巻取リールはギア等によって連動されていないため、被転写面に粘着剤等をライン状に転写することができないという問題もある。
【０００９】
これに対して、特許文献２に記載のものは、供給リールと巻取リールに設けたギアを互いに連動可能に形成する構造であるため、粘着剤をライン状に転写することができる。しかし、転写後のテープ基材を巻き取るには、巻取リールのギアに噛合する撓み可能な押棒を設けた巻上げノブがスプリングを撓ませて押すことにより、押棒の一端部に設けた爪部が巻取リールのギアに噛合して巻取リールを回転させる必要がある。したがって、特許文献２に記載のものにおいても、巻取機構にスプリングを含む複数の構成部材が必要となるため、構成部材が多くなると共に、ケース内への組み付けが面倒であるという問題があり、また、転写後の転写テープの巻き取り操作が面倒であるという問題がある。
【００１０】
この発明は、上記事情に鑑みてなされたもので、転写ヘッドの押圧及び転写テープの巻き取りを促す部材とスプリングを一体に形成して構造を簡単にし、かつ、簡単な操作によって、粘着剤の被転写面へのスポット状転写、あるいは、ライン状転写のいずれにも選択して確実に転写できるようにした粘着転写具を提供することを課題とする。
【課題を解決するための手段】
【００１１】
上記課題を解決するために、この発明は、ケース内に、テープ基材の片面に粘着剤を有する転写テープを巻装する回転可能な供給リールと、上記供給リールから引き出された転写テープのテープ基材を巻き取る回転可能な巻取リールと、上記供給リールから引き出された転写テープの粘着剤を被転写面に転写する転写ヘッドと、上記供給リール及び巻取リールにそれぞれ装着される互いに連動するギアからなる巻取機構と、上記転写ヘッドの先端側に出没可能な押し板部と、上記ケースに突設された係止突起に当接係合して上記押し板部を上記転写ヘッドの先端側に押圧するばね部及び該ばね部の付勢力に抗して上記ケース後方側に移動する際にのみ上記供給リールに装着される供給ギアに噛合するラチェット爪を一体に有する作動プレートと、を配設してなり、上記ばね部の付勢力に抗して上記押し板部を後方側へ移動し、上記転写ヘッドを被転写面に押圧した後、転写ヘッドを被転写面から後退して、上記粘着剤の被転写面へのスポット転写、又は、上記転写ヘッドを被転写面に押圧した状態で、被転写面上を移動させて、上記粘着剤の被転写面へのライン状の転写のいずれかを選択的に行えるように形成してなる、ことを特徴とする（請求項１）。
【００１２】
このように構成することにより、転写ヘッドの押圧及び転写テープの巻き取りを促す作動プレートとばね部を一体に形成することができるので、構成部材の削減が図れる。また、ばね部の付勢力に抗して作動プレートを後方へ移動し、転写ヘッドを被転写面に押圧した後、転写ヘッドを被転写面から後退することで、転写ヘッドによって押圧された転写テープの粘着剤が被転写面にスポット状に転写される。また、ばね部の付勢力に抗して作動プレートを後方へ移動し、転写ヘッドを被転写面に押圧した状態で、被転写面上を移動させることで、供給リールから引き出された転写テープは転写ヘッドによって連続して被転写面に押圧され、転写テープの粘着剤が被転写面にライン状に転写される。
【００１３】
この発明において、上記押し板部は、上記作動プレートに枢着され、使用時には上記作動プレートの先端側に展開され、不使用時には上記作動プレートの側面に折り畳み可能に形成される方が好ましい（請求項２）。
【００１４】
このように構成することにより、使用時すなわち転写時には転写プレートの先端側に突出する押し板部を被転写面に当接し、ばね部の付勢力に抗して作動プレートを後方へ移動することで、転写ヘッドを被転写面に押圧することができる。また、不使用時には押し板部を作動プレートの側面側に回動して折り畳むことができる。
【００１５】
また、この発明において、ばね部を、作動プレートの両側辺からそれぞれ後方側に屈曲し、各端部がケースに突設された係止突起に当接係合する第１及び第２のばね片にて形成する方が好ましい（請求項３）。
【００１６】
このように構成することにより、作動プレートの両側から後方側に突出する第１及び第２のばね片の付勢力によって転写ヘッドを押圧することができる。
【００１７】
また、この発明において、転写ヘッドの転写面に弾性を有する板部材を配設すると共に、該板部材の表面に転写テープの移動を円滑にする滑りカバー部材を被着してなる方が好ましい（請求項４）。
【００１８】
このように構成することにより、転写ヘッドの転写面を被転写面に押圧した際に、ばね部の付勢力と板部材の弾性変形の相乗作用によって被転写面の凹凸を吸収することができる。また、転写ヘッドと転写テープとの接触摩擦を小さくすることができ、転写テープの移動を円滑にすることができる。
【００１９】
加えて、この発明において、作動プレートに一体に形成され、作動プレートがばね部の付勢力に抗して後方へ移動し転写ヘッドの転写面が被転写面に押圧された際に、ケースに突設された突起に間欠的に係合し、確認のための音を発する弾性変形可能な確認音発生爪を更に具備してもよい（請求項５）。
【００２０】
このように構成することにより、転写ヘッドの転写面を被転写面に当接する際、作動プレートの移動に伴って転写面の全域が被転写面に当接すると、確認音発生爪がケースに突設された突起に間欠的に係合し、確認音発生爪が振動して音を発生する。これにより、使用者は、転写ヘッドの転写面の全域が被転写面に当接されたことを確認することができる。
【発明の効果】
【００２１】
この発明の粘着転写具によれば、上記のように構成されているので、以下のような効果が得られる。
【００２２】
（１）請求項１記載の発明によれば、転写ヘッドの押圧及び転写テープの巻き取りを促す作動プレートとばね部を一体に形成することができるので、構成部材の削減が図れると共に組み付けを簡単にすることができる。また、ばね部の付勢力に抗して作動プレートを後方へ移動し、転写ヘッドを被転写面に押圧した後、転写ヘッドを被転写面から後退することで、転写テープの粘着剤を被転写面にスポット状に転写し、また、ばね部の付勢力に抗して作動プレートを後方へ移動し、転写ヘッドを被転写面に押圧した状態で、被転写面上を移動させることで、転写テープの粘着剤を被転写面にライン状に転写することができるので、簡単な操作によって、粘着剤の被転写面へのスポット状転写、あるいは、ライン状転写を選択して確実に行うことができる。
【００２３】
（２）請求項２記載の発明によれば、使用時（転写時）には転写プレートの先端側に突出する押し板部を被転写面に当接し、ばね部の付勢力に抗して作動プレートを後方へ移動することで、転写ヘッドを被転写面に押圧することができ、また、不使用時には押し板部を作動プレートの側面側に回動して折り畳むことができるので、特に不使用時における外部への突出部をなくして美観の向上を図ることができる。
【００２４】
（３）請求項３記載の発明によれば、作動プレートの両側から後方側に突出する第１及び第２のばね片の付勢力によって転写ヘッドを押圧することができるので、上記（１），（２）に加えて、更に転写ヘッドの押圧力を左右均等にして被転写面への粘着剤の転写を確実にすることができる。
【００２５】
（４）請求項４記載の発明によれば、転写ヘッドの転写面を被転写面に押圧した際に、ばね部の付勢力と板部材の弾性変形の相乗作用によって被転写面の凹凸を吸収することができ、また、転写ヘッドと転写テープとの接触摩擦を小さくすることができるので、上記（１）〜（３）に加えて、更に被転写面への粘着剤の転写を確実にすることができると共に、転写テープの転写ヘッドへの移動を円滑にすることができ、転写作業を効率よく行うことができる。
【００２６】
（５）請求項５記載の発明によれば、スポット状転写の際に、確認音発生爪がケースに突設された突起に間欠的に係合し、確認音発生爪が振動して音を発生することで、使用者は、転写ヘッドの転写面の全域が被転写面に当接されたことを確認することができるので、上記（１）〜（４）に加えて、更にスポット状転写を確実に行うことができる。
【発明を実施するための最良の形態】
【００２７】
以下に、この発明の最良の実施形態を添付図面に基づいて詳細に説明する。
【００２８】
図１は、この発明に係る粘着転写具の要部を示す正面斜視図、図２は、粘着転写具の要部を示す背面図、図３は、粘着転写具の要部を示す正面断面図（ａ）、（ａ）のＩ部拡大断面図（ｂ）及び背面断面図（ｃ）である。
【００２９】
上記粘着転写具は、ケース１０と、テープ基材２の片面に粘着剤３を有する転写テープ１を巻装する回転可能な供給リール２０と、供給リール２０から引き出された転写テープ１のテープ基材２を巻き取る回転可能な巻取リール３０と、供給リール２０から引き出された転写テープ１の粘着剤３を被転写面４に転写する転写ヘッド４０と、巻取リール３０に転写テープ１を巻き取る巻取機構５０と、転写ヘッド４０の押圧及び転写テープ１の巻き取りを促す作動プレート７０と、ドット状の転写時に確認音を発生する確認音発生機構６０と、を具備している。
【００３０】
上記転写テープ１は、例えば剥離紙によって形成されるテープ基材２の片面に、例えばアクリル系粘着剤からなる粘着剤３を例えばテープ基材２の長手方向及び幅方向に千鳥状、あるいは、等間隔に配置してパターン化した感圧テープによって形成されている。
【００３１】
上記ケース１０は、図４に示すように、略楕円形状のベース部１２の周縁に起立壁部１３を設けたケース本体１１と、ケース本体１１の開口部を開閉可能に塞ぐカバー体１５とで構成されており、ベース部１２に、供給リール２０と巻取リール３０が回転可能に支持されると共に、転写ヘッド４０が支持されている。この場合、ケース本体１１とカバー体１５は、透明性の例えばポリスチレン樹脂等の合成樹脂製部材によって形成されている。また、ケース本体１１の先端部には、転写ヘッド４０を露出すると共に、作動プレート７０が出没可能なように切欠部１６が設けられている。なお、カバー体１５の先端部にも、転写ヘッド４０を露出する切欠部１６が設けられている。
【００３２】
また、ケース本体１１のベース部１２には、このベース部１２の略中央部に位置し、供給リール２０を回転可能に取り付けるための第１の支持軸１８ａと、この第１の支持軸１８ａよりベース部１２の後端部側に位置し、巻取リール３０を回転可能に取り付けるための第２の支持軸１８ｂと、第２の支持軸１８ｂと反対の先端部側に位置し、転写ヘッド４０を取り付けるための第３の支持軸１８ｃが突設されている。なお、第３の支持軸１８ｃは粘着転写具の前後方向に長い略扁平楕円形状に形成されている。
【００３３】
なお、この場合、第１ないし第３の支持軸１８ａ，１８ｂ，１８ｃの先端及び第３の支持軸１８ｃの後方側の近傍位置に突設された取付軸１８ｄの先端には、それぞれ嵌合穴１８ｅが設けられている。これら嵌合穴１８ｅと、カバー体１５の内面に突設された係合突起（図示せず）とを嵌合させて、ケース本体１１とカバー体１５とが結合されている。
【００３４】
第１の支持軸１８ａには、供給ギア２１と駆動ギア５１が回転可能に枢着されている。この場合、駆動ギア５１の一側面すなわち正面側には、駆動ギア５１より小径の供給ギア２１が同軸上に一体に形成されている。また、駆動ギア５１の反対側面には、第１の支持軸１８ａに回転可能に枢着される回転筒部５１ａが突設されており、この回転筒部５１ａに供給リール２０が着脱可能に装着されている。この場合、図３及び図４に示すように、回転筒部５１ａの外周面に適宜間隔をおいて突設される軸方向に平行な外凸条５１ｂと、供給リール２０の内周面に適宜間隔をおいて突設される軸方向に平行な内凸条２０ａとが係合した状態で駆動ギア５１及び供給ギア２１と供給リール２０が取り付けられる。
【００３５】
第２の支持軸１８ｂには、従動ギア５２が回転可能に枢着されている。この従動ギア５２には、第２の支持軸１８ｂに回転可能に枢着される鍔付き回転筒部５２ａが突設されており、この回転筒部５２ａに逆転防止機構５５を介して巻取リール３０が着脱可能に装着されている。この場合、逆転防止機構５５は、図２及び図４に示すように、従動ギア５２と一体に設けられた鍔部５２ｂの外周に弾性変形可能に突設された逆転防止爪５５ａと、ベース部１２に設けられた筒状突部１４の周縁に設けられ、逆転防止爪５５ａが係合可能なラチェット内歯１４ａとで構成される第１の逆転防止機構５５Ａと、巻取リール３０の表面に同軸上に設けられた筒部３３の外周に弾性変形可能に突設された逆転防止爪５５ｂと、カバー体１５に設けられた筒状突部１５ｂの周縁に設けられ、逆転防止爪５５ｂが係合可能なラチェット内歯１５ｃとで構成される第２の逆転防止機構５５Ｂとで構成されている。
【００３６】
なお、巻取リール３０の表面側のフランジ部３１の周辺部には、同心円上に等間隔に複数の小孔３２が穿設されている。このように、巻取リール３０のフランジ部３１に小孔３２を設けることにより、使用中に転写テープ１の巻き取りが弛んだ際に、ケース１０のカバー体１５に設けられた窓穴１５ａを介して挿入される操作ピン(図示せず)を小孔３２に係合して、巻取リール３０を巻取方向に回動することができる。
【００３７】
上記巻取機構５０は、供給リール２０の回転部と同軸上に装着され、後述する作動プレート７０に一体に設けられたラチェット爪７１に一方向のみに噛合する駆動ギア５１と、この駆動ギア５１に遊星ギア５３を介して噛合され、巻取リール３０の回転部と同軸上に装着される従動ギア５２とで構成されている。
【００３８】
上記作動プレート７０は、引張強度及び曲げ強度に優れた材質、例えばポリアセタール樹脂等の合成樹脂にて形成されており、図４及び図５に示すように、転写ヘッド４０の先端側に出没可能な押し板部７２と、ケース本体１１のベース部１２に突設された係止突起１７ａ，１７ｂに当接係合して押し板部７２を転写ヘッド４０の先端側に押圧するばね部７８と、該ばね部７８の付勢力に抗してケース後方側に移動する際にのみ供給リール２０に装着される供給ギア２１に噛合するラチェット爪７１及び確認音発生機構６０を構成する確認音発生爪７３と、を一体に有している。
【００３９】
この場合、作動プレート７０は、先端側（図面における下端側）に、先端が開口する凹部７４が設けられており、後端側（図面における上端側）の中心から偏倚した位置には、上記第１の支持軸１８ａを遊嵌する後端が開口するスリット７５が設けられている。凹部７４には、該凹部７４の対向する側部に突設された凸軸部７４ａに押し板部７２が回転自在に枢着されている。押し板部７２は、凸軸部７４ａに回転自在に嵌合する筒軸７２ａを一端に有する略矩形状に形成されており、使用時すなわち転写時には作動プレート７０の先端側に展開し、不使用時には作動プレート７０の側面側に回動して折り畳むことができるようになっている。
【００４０】
また、ばね部７８は、作動プレート７０の一側辺具体的には作動プレート７０の中間部側辺から後方に向かって正面視で略逆「く」字状に屈曲し、その自由端の係止部７６ａがケース本体１１のベース部１２に突設された第１の係止突起１７ａに当接係合する第１のばね片７６と、作動プレート７０の一側辺具体的にはスリット７５を構成する中心側の突片７５ａの側辺から後方に向かって正面視で略「く」字状に屈曲し、その自由端の係止部７７ａがケース本体１１のベース部１２に突設された第２の係止突起１７ｂに当接係合する第２のばね片７７とで構成されている。このようにばね部７８を左右略対称形状の第１及び第２のばね片７６，７７にて構成することにより、作動プレート７０の両側から後方側に突出する第１及び第２のばね片７６，７７の付勢力によって転写ヘッド４０を押圧することができるので、転写ヘッド４０の押圧力を左右均等にして被転写面４への粘着剤３の転写を確実にすることができる。
【００４１】
また、ラチェット爪７１は、作動プレート７０の正面側の中間部のやや下方位置から隆起して後方側に湾曲状に延在する腕片７１ａの先端から下向きに設けられており、ばね部７８の付勢力に抗して作動プレート７０が後方側に移動する際にのみ供給リール２０に装着される駆動ギア５１に噛合するように形成されている。
【００４２】
上記のように形成されるラチェット爪７１が供給ギア２１に噛合して供給ギア２１を回動すると同時に駆動ギア５１を回動し、遊星ギア５３を介して従動ギア５２を回動することで、転写ヘッド４０と巻取リール３０との間の転写テープ１を巻取リール３０に巻き取ることができる。
【００４３】
なお、供給ギア２１と巻取機構５０を構成する駆動ギア５１，遊星ギア５３及び従動ギア５２は、それぞれ引張強度及び曲げ強度に優れた材質、例えばポリアセタール樹脂等の合成樹脂によって形成されている。
【００４４】
一方、上記転写ヘッド４０は、上述した略扁平楕円形状の第３の支持軸１８ｃに嵌合される扁平楕円孔４１を有しており、先端部に転写テープ１との接触面が平坦状をなす転写面４２を具備する断面略台形状に形成されている。この転写ヘッド４０は、例えば耐衝撃性ポリスチレン樹脂等の合成樹脂製部材によって形成されており、転写面４２の表面には例えば弾性を有する板部材、例えば不織布や合成ゴム製の板部材によって形成されるクッション部材４３が接着されている。また、クッション部材４３の表面側には、転写テープ１の移動を円滑にする滑りカバー部材４４が被着されている。
【００４５】
上記のように、転写ヘッド４０の転写面４２に、クッション部材４３を介して滑りカバー部材４４を被着することにより、転写ヘッド４０の転写面４２を被転写面４２に押圧した際に、ばね部７８の付勢力とクッション部材４３の弾性変形の相乗作用によって被転写面４２の凹凸を吸収することができる。また、転写ヘッド４０と転写テープ１との接触摩擦を小さくすることができ、転写テープ１の移動を円滑にすることができると共に、転写ヘッド４０との摩擦によって生じる転写テープ１の損傷を防止することができる。
【００４６】
上記確認音発生機構６０を構成する確認音発生爪７３は、作動プレート７０がばね部７８の付勢力に抗して後方へ移動し転写ヘッド４０の転写面４２が被転写面４２に押圧された際に、ケース本体１１のベース部１２に突設された突起６１に間欠的に係合した際に振動して音を発生する、復元性を有する可撓性を有している。
【００４７】
上記のように、作動プレート７０に一体に形成される確認音発生爪７３と、ケース本体１１に設けられる突起６１とで確認音発生機構６０を構成することにより、構成部材の削減が図れると共に、スポット転写を確認して行うことができる。
【００４８】
なお、ケース本体１１の先端側には、不使用時に転写ヘッド４０を被覆するキャップ８０が設けられている。このキャップ８０は、ケース本体１１の先端側に設けられた切欠部１６の近傍部位の起立壁部１３の内方側に括れた括れ部１９内に格納可能に形成されており、使用時には括れ部１９内に格納されるように括れ部１９の開口側に枢着されている。
【００４９】
次に、上記実施形態に係る粘着転写具の動作態様について、図６及び図７を参照して説明する。
【００５０】
＜スポット転写＞
被転写面４に粘着剤３をスポット状に転写するには、まず、転写ヘッド４０を被覆しているキャップ８０を括れ部１９内に格納して転写ヘッド４０を露出し、次に、作動プレート７０の側面に折り畳まれている押し板部７２を展開して転写ヘッド４０の先端側に突出する。この状態で、粘着転写具を被転写面４の転写する位置の上方に移動する（図６（ａ）参照）。
【００５１】
次に、押し板部７２の先端を被転写面４に当接した状態で、ばね部７８の付勢力に抗して作動プレート７０を後方へ移動すると、ラチェット爪７１が供給ギア２１に噛合し、供給ギア２１を回動すると同時に駆動ギア５１を回動し、遊星ギア５３を介して従動ギア５２を回動する。これにより、供給リール２０から引き出される転写テープ１が巻取リール３０に巻き取られて、転写ヘッド４０の転写面４２に粘着剤３を有する転写テープ１が供給され、この状態で転写ヘッド４０を被転写面４に押圧する（図６（ｂ）参照）。このとき、作動プレート７０の後方への移動に伴って転写面４２の全域が被転写面４に当接すると、確認音発生爪７３がケース本体１１のベース部１２に突設された突起６１に間欠的に係合し、確認音発生爪７３が振動して音を発生する。これにより、使用者は、転写ヘッド４０の転写面４２の全域が被転写面４に当接されたことを確認することができる。
【００５２】
次に、粘着転写具を上方に移動して転写ヘッド４０を被転写面４から後退することで、転写テープ１の粘着剤３が被転写面４にスポット状に転写される（図６（ｃ）参照）。転写ヘッド４０を被転写面４から後退すると、ばね部７８の付勢力によって作動プレート７０が元の位置すなわち先端側に移動するが、ラチェット爪７１と供給ギア２１とは噛合せず供給リール２０は回転しない。
【００５３】
＜ライン状転写＞
まず、被転写面４に粘着剤３をライン状に転写するには、押し板部７２を展開して転写ヘッド４０の先端側に突出した状態にして、粘着転写具を被転写面４の転写する位置の上方に移動する（図７（ａ）参照）。
【００５４】
次に、押し板部７２の先端を被転写面４に当接した状態で、ばね部７８の付勢力に抗して作動プレート７０を後方へ移動すると、ラチェット爪７１が供給ギア２１に噛合し、供給ギア２１を回動すると同時に駆動ギア５１を回動し、遊星ギア５３を介して従動ギア５２を回動する。これにより、供給リール２０から引き出される転写テープ１が巻取リール３０に巻き取られて、転写ヘッド４０の転写面４２に粘着剤３を有する転写テープ１が供給され、この状態で転写ヘッド４０を被転写面４に押圧する（図７（ｂ）参照）。この状態で、粘着転写具を被転写面４に対して平行移動することで、転写ヘッド４０の転写面４２が被転写面４上を移動して、転写テープ１の粘着剤３が被転写面４にライン状に転写される（図７（ｃ）参照）。このとき、粘着転写具の移動に伴って転写テープ１は供給リール２０から引き出され、供給リール２０が回動する。供給リール２０の回動に伴って駆動ギア５１が回動し、駆動ギア５１の回動に伴って遊星ギア５３を介して従動ギア５２が回動して巻取リール３０が回動して転写テープ１（具体的にはテープ基材２）を巻き取る。
【００５５】
粘着転写具を移動して、粘着剤３を所定の長さ転写した後、粘着転写具を上方に移動して転写ヘッド４０を被転写面４から後退することで、転写テープ１の粘着剤３が被転写面４に所定の長さライン状に転写される（図７（ｄ）参照）。
【００５６】
なお、上記実施形態では、転写テープ１の粘着剤３をテープ基材２の長手方向及び幅方向に千鳥状、あるいは、等間隔に配置してパターン化した場合について説明したが、粘着剤３の形態は必ずしもこれに限定されるものではない。例えば、テープ基材２の片面に適宜間隔をおいて互いに平行に配置される複数の帯状の粘着剤を担持させたものや、転写面４２より小さい面積を有する粘着剤を、適宜間隔をおいて配置したものなど任意のパターン化したものを使用することができる。
【図面の簡単な説明】
【００５７】
【図１】この発明に係る粘着転写具の要部を示す正面斜視図である。
【図２】上記粘着転写具の要部を示す背面図である。
【図３】上記粘着転写具の要部を示す正面断面図（ａ）、（ａ）のＩ部拡大断面図（ｂ）及び粘着転写具の要部を示す背面断面図（ｃ）である。
【図４】この発明における供給リール，巻取リール、巻取機構及び作動プレートを示す分解斜視図である。
【図５】この発明における作動プレートを示す斜視図である。
【図６】スポット状転写を行う場合の動作態様を示す概略断面図で、（ａ）は転写前の状態、（ｂ）はスポット状転写時の状態、（ｃ）はスポット状転写後の状態である。
【図７】ライン状転写を行う場合の動作態様を示す概略断面図で、（ａ）は転写前の状態、（ｂ）はライン状転写開始時の状態、（ｃ）はライン状転写中の状態、（ｄ）はライン状転写後の状態である。
【符号の説明】
【００５８】
１  転写テープ
２  テープ基材
３  粘着剤
４  被転写面
１０  ケース
１１  ケース本体
１５  カバー体
１７ａ，１７ｂ  係止突起
２０  供給リール
２１  供給ギア
３０  巻取リール
４０  転写ヘッド
４２  転写面
４３  クッション部材（板部材）
４４  滑りカバー部材
５０  巻取機構
５１  駆動ギア
５２  従動ギア
５３  遊星ギア
６０  確認音発生機構
６１  突起
７０  作動プレート
７１  ラチェット爪
７２  押し板部
７３  確認音発生爪
７６  第１のばね片
７７  第２のばね片
７８  ばね部
【図１】
0005116098.tif 000002
【図２】
0005116098.tif 000003
【図３】
0005116098.tif 000004
【図４】
0005116098.tif 000005
【図５】
0005116098.tif 000006
【図６】
0005116098.tif 000007
【図７】
0005116098.tif 000008